(57)【要約】【課題】利用者が複数の権限を使い分けることができる入出場管理装置、入出場管理システム、入出場管理方法、およびプログラムを提供することである。【解決手段】第１通信部は、利用者の端末装置と通信する。第２通信部は、利用者の媒体から識別情報を読み取り可能な自動改札機と通信する。管理部は、記憶部において利用者の識別情報に対応付けられた一以上の権限情報を参照して前記利用者の入出場の可否を判定し、前記第２通信部を用いて判定結果を前記自動改札機に送信すると共に、前記第１通信部により前記端末装置から受信された、識別情報と、利用者により指定された権限を示す権限指定情報とに基づいて、前記記憶部において前記第２通信部により前記自動改札機から受信された識別情報に対応づけられている権限情報のうち一以上の権限情報を選択し、前記選択した権限情報に基づいて前記利用者の入出場の可否を判定する。【選択図】図６
2018092409.tif 000002
【特許請求の範囲】
【請求項１】
利用者の端末装置と通信する第１通信部と、
利用者の媒体から識別情報を読み取り可能な自動改札機と通信する第２通信部と、
記憶部において利用者の識別情報に対応付けられた一以上の権限情報を参照して前記利用者の入出場の可否を判定し、前記第２通信部を用いて判定結果を前記自動改札機に送信する管理部と、を備え、
前記管理部は、前記第１通信部により前記端末装置から受信された、識別情報と、利用者により指定された権限を示す権限指定情報とに基づいて、前記記憶部において前記第２通信部により前記自動改札機から受信された識別情報に対応づけられている権限情報のうち一以上の権限情報を選択し、前記選択した権限情報に基づいて前記利用者の入出場の可否を判定する、
入出場管理装置。
【請求項２】
前記管理部は、前記第１通信部により前記端末装置から受信された識別情報および権限指定情報を用いて、前記第１通信部からの前記識別情報および権限指定情報の受信よりも後に前記第２通信部により前記自動改札機から受信された、識別情報に対応づけられている権限情報のうち一以上の権限情報を選択する、
請求項１記載の入出場管理装置。
【請求項３】
前記管理部は、前記選択した一以上の権限情報に基づいて、前記利用者から料金を収受するための処理を行う、
請求項１または２記載の入出場管理装置。
【請求項４】
前記管理部は、
前記記憶部において利用者の識別情報に対応付けられた一以上の権限情報を読み出し、読み出した情報を、前記第１通信部を用いて前記端末装置に送信する
請求項１から３のうちいずれか１項記載の入出場管理装置。
【請求項５】
前記記憶部において利用者の識別情報に対応付けられた一以上の権限情報は、権限の有効期間または残高を示す効力情報を含み、
前記管理部は、前記権限情報における有効期間が基準よりも短くなった権限または残高が基準よりも少なくなった権限に対応する利用者の端末装置に対し、前記第１通信部を用いて有効期間または残高に関する情報を送信する、
請求項１から４のうちいずれか１項記載の入出場管理装置。
【請求項６】
請求項１から５のうちいずれか１項記載の入出場管理装置と、
利用者の識別情報を読み取り可能な自動改札機であって、前記読み取った利用者の識別情報を前記入出場管理装置に送信し、前記入出場管理装置から受信した入出場の可否の判定結果に基づいて、利用者の通過を許可または禁止する自動改札機と、
を備える入出場管理システム。
【請求項７】
利用者の端末装置が、識別情報および権限指定情報を入出場管理装置に送信し、
自動改札機が、利用者の媒体から識別情報を読み取り、読み取った識別情報を入出場管理装置に送信し、
入出場管理装置が、記憶部において利用者の識別情報に対応付けられた一以上の権限情報を参照して前記利用者の入出場の可否を判定し、判定結果を前記自動改札機に送信する、入出場管理方法であって、
前記判定する処理は、前記端末装置から受信された識別情報と権限指定情報とに基づいて、前記記憶部において前記自動改札機から受信された識別情報に対応づけられている権限情報のうち一以上の権限情報を選択し、前記選択した権限情報に基づいて前記利用者の入出場の可否を判定する処理を含む、
入出場管理方法。
【請求項８】
利用者の端末装置と通信する第１通信部と、利用者の媒体から識別情報を読み取り可能な自動改札機と通信する第２通信部とを備える入出場管理装置のコンピュータに、
記憶部において利用者の識別情報に対応付けられた一以上の権限情報を参照して前記利用者の入出場の可否を判定させ、
前記第２通信部を用いて判定結果を前記自動改札機に送信させ、
前記判定させる処理において、前記第１通信部により前記端末装置から受信された、識別情報と、利用者により指定された権限を示す権限指定情報とに基づいて、前記記憶部において前記第２通信部により前記自動改札機から受信された識別情報に対応づけられている権限情報のうち一以上の権限情報を選択させ、前記選択させた権限情報に基づいて前記利用者の入出場の可否を判定させる、
プログラム。
【発明の詳細な説明】
【技術分野】
【０００１】
本発明の実施形態は、入出場管理装置、入出場管理システム、入出場管理方法、およびプログラムに関する。
【背景技術】
【０００２】
電子マネーの残高を媒体に記憶し、自動改札機において料金収受を行うシステムが普及している。このシステムにおいては、媒体に記憶される情報と自動改札機の処理負荷が比較的大きくなるため、媒体が専ら識別情報を自動改札機に伝え、自動改札機からセンターサーバに識別情報を送信し、センターサーバにおいて入出場の可否判定や料金収受の処理を行って処理結果を自動改札機に返すシステムが提唱されている。しかしながら、後者のシステムでは、一人の利用者が複数の権限（定期券、乗車券、電子マネーなど）を保有する場合に、一つの媒体によって権限を使い分けることができない場合があった。
【先行技術文献】
【特許文献】
【０００３】
【特許文献１】特開２００４−１３３６０５号公報
【特許文献２】特開２００５−２４２９３９号公報
【発明の概要】
【発明が解決しようとする課題】
【０００４】
本発明が解決しようとする課題は、利用者が複数の権限を使い分けることができる入出場管理装置、入出場管理システム、入出場管理方法、およびプログラムを提供することである。
【課題を解決するための手段】
【０００５】
実施形態の入出場管理装置は、第１通信部と、第２通信部と、管理部とを持つ。第１通信部は、利用者の端末装置と通信する。第２通信部は、利用者の媒体から識別情報を読み取り可能な自動改札機と通信する。管理部は、記憶部において利用者の識別情報に対応付けられた一以上の権限情報を参照して前記利用者の入出場の可否を判定し、前記第２通信部を用いて判定結果を前記自動改札機に送信すると共に、前記第１通信部により前記端末装置から受信された、識別情報と、利用者により指定された権限を示す権限指定情報とに基づいて、前記記憶部において前記第２通信部により前記自動改札機から受信された識別情報に対応づけられている権限情報のうち一以上の権限情報を選択し、前記選択した権限情報に基づいて前記利用者の入出場の可否を判定する。
【図面の簡単な説明】
【０００６】
【図１】実施形態の入出場管理システム１の構成図。
【図２】一つの自動改札機１０を上方から見た図。
【図３】自動改札機１０の機能構成を示す図。
【図４】実施形態の端末装置２００の機能構成を示す図。
【図５】タッチパネル２０２に表示された権限選択画面の一例を示す図。
【図６】実施形態のセンターサーバ１００の機能構成を示す図。
【図７】権限情報テーブル１２２の内容の一例を示す図。
【図８】利用履歴情報テーブル１２３の内容の一例を示す図。
【図９】入出場管理システム１の全体の流れの一例を示すシーケンス図。
【図１０】センターサーバ１００の動作の流れの一例を示すフローチャート。
【発明を実施するための形態】
【０００７】
以下、実施形態の入出場管理装置、入出場管理システム、入出場管理方法、およびプログラムを、図面を参照して説明する。
【０００８】
［全体構成］
図１は、実施形態の入出場管理システム１の構成図である。入出場管理システム１は、例えば、複数の駅に設置された自動改札機１０と、センターサーバ（入出場管理装置）１００と、端末装置２００とを備える。各駅には、駅サーバ５０が設けられる。各駅の自動改札機１０は、駅サーバ５０を介してネットワークＮＷにアクセスし、センターサーバ１００と通信する。駅サーバ５０には、駅務機器４０などの機器が接続される場合もある。ネットワークＮＷは、ＷＡＮ（Wide Area Network）やＬＡＮ（Local Area Network）などを含む。端末装置２００は、例えば、利用者によって利用される端末装置である。
【０００９】
［自動改札機］
次に、図２および図３を参照して、自動改札機１０について説明する。図２は、一つの自動改札機１０を上方から見た図である。図３は、自動改札機１０の機能構成を示す図である。自動改札機１０は、通路を挟んで対向配置される主機２０と従機３０とを備える。主機２０は、例えば、光学読取部２１と、上面表示部２２と、正面表示部２３と、扉部２４および２５と、制御部２６と、改札機側通信部２７とを備える。また、従機３０は、光学読取部３１と、上面表示部３２と、正面表示部３３と、扉部３４および３５とを備える。
【００１０】
主機２０の光学読取部２１は、図２のａ方向に通過しようとする利用者によって翳された媒体に表されている画像（例えば、二次元コード）に含まれる識別情報（例えば、利用者ＩＤ）を光学的に読み取って、読み取った利用者ＩＤを制御部２６に送信する。利用者ＩＤは、各利用者を識別する固有の情報である。識別情報は、各媒体に割り当てられた固有の情報であってもよい。上面表示部２２は、制御部２６によって処理された結果を表示する。正面表示部２３は、図２のａ方向に通過可能であるか否かを示すマークや図形、文字等を表示する。正面表示部２３の表示内容は、制御部２６によって決定される。図２の例では、自動改札機１０は、ａ方向の通過のみ許可する動作モード（第１の動作モード）に設定されているため、主機２０の正面表示部２３は、通過を許可することを示すマークを表示している。制御部２６は、主機２０と従機３０の各部を制御する。
【００１１】
一方、従機３０の光学読取部３１は、ｂ方向に通過しようとする利用者によって翳された媒体に表されている画像（例えば、二次元コード）に含まれる識別情報（例えば、利用者ＩＤ）利用者ＩＤを光学的に読み取って、読み取った利用者ＩＤを主機２０の制御部２６に送信する。上面表示部３２は、主機２０の制御部２６によって処理された結果を表示する。正面表示部３３は、ｂ方向に通過可能であるか否かを示すマークや図形、文字等を表示する。正面表示部３３の表示内容は、主機２０の制御部２６によって決定される。図２の例では、自動改札機１０は、ａ方向の通過のみ許可する第１の動作モードに設定されているため、従機３０の正面表示部３３は、通過を禁止することを示すマークを表示している。
【００１２】
主機２０の制御部２６は、通信制御部２６Ａと扉制御部２６Ｂとを備える。通信制御部２６Ａは、光学読取部２１または３１から受信した利用者ＩＤに、自動改札機１０が設置されている駅を示す情報や、現在の日時を示す情報等を対応付けて、改札機側通信部２７に出力する。改札機側通信部２７は、通信制御部２６Ａから入力される情報を、駅サーバ５０およびネットワークＮＷを介してセンターサーバ１００に送信する。
【００１３】
扉制御部２６Ｂは、自動改札機１０が第１の動作モードに設定されている場合には、扉部２５および３５を開放状態に維持すると共に、扉部２４および３４を開放状態または閉止状態に制御することで、ａ方向の利用者の通過を許可または禁止する。また、扉制御部２６Ｂは、自動改札機１０が図２のｂ方向の通過のみ許可する動作モード（第２の動作モード）に設定されている場合には、扉部２４および３４を開放状態に維持すると共に、扉部２５および３５を開放状態または閉止状態に制御することで、ｂ方向の利用者の通過を許可または禁止する。
【００１４】
また、扉制御部２６Ｂは、ネットワークＮＷおよび駅サーバ５０を介してセンターサーバ１００から受信した開閉コマンドに基づき、扉部２４，２５，３４，３５を制御する。例えば、扉制御部２６Ｂは、第１の動作モードに設定されている状態において、センターサーバ１００から開放コマンドを受信した場合、扉部２４および３４を開放状態に制御し、センターサーバ１００から閉止コマンドを受信した場合、扉部２４および３４を開放状態に制御する。また、扉制御部２６Ｂは、第２の動作モードに設定されている状態において、センターサーバ１００から開放コマンドを受信した場合、扉部２５および３５を開放状態に制御し、センターサーバ１００から閉止コマンドを受信した場合、扉部２５および３５を開放状態に制御する。
【００１５】
［端末装置］
図４は、実施形態の端末装置２００の機能構成を示す図である。端末装置２００は、例えば、タッチパネル２０２と、端末側通信部２０４と、二次元コード生成部２０６と、権限指示情報生成部２０８と、記憶部２１０とを備える。タッチパネル２０２は、操作部と表示部とを備え、操作部を用いて利用者からの操作を受け付け、受け付けた操作を示す情報を、二次元コード生成部２０６または権限指示情報生成部２０８に出力する。また、タッチパネル２０２は、二次元コード生成部２０６または権限指示情報生成部２０８から入力する情報に基づく画像を表示部に表示させる。端末側通信部２０４は、ネットワークＮＷを介してセンターサーバ１００と通信する。
【００１６】
記憶部２１０は、プロセッサが実行するプログラムである入出場アプリケーションプログラム（以下、入出場アプリと記す）２１２を格納する。また、記憶部２１０は、例えば、入出場アプリ２１２により取り扱われる情報である識別情報２１４と、選択可能権限情報２１６とを格納する。入出場アプリ２１２は、利用者に対応付けられて登録された権限の中から使用する権限を指定するためのインターフェース等を、タッチパネル２０２を用いてユーザに提供するとともに、インターフェースを介して入力された情報等をセンターサーバ１００に送信するための処理を、端末装置２００に実行させるプログラムである。識別情報２１４は、二次元コードが生成される元となる利用者ＩＤである。選択可能権限情報２１６は、例えば、センターサーバ１００からダウンロードされる、利用者が利用可能な権限に関する情報である。記憶部２１０に記憶されている入出場アプリ２１２は、例えば、ネットワークＮＷを介してアプリケーションサーバやセンターサーバ１００からダウンロードされてもよいし、ＳＤカードなどの可搬型記憶媒体に格納されたものが端末装置２００にインストールされてもよいし、端末装置２００にプリインストールされていてもよい。また、選択可能権限情報２１６は、利用者がシステムを利用する度にセンター竿場１００からダウンロードされ、一回の利用が終了すると削除されるものであってもよい。
【００１７】
二次元コード生成部２０６および権限指示情報生成部２０８は、例えば、ＣＰＵ（Central Processing Unit）等のプロセッサが、記憶部２１０に記憶された入出場アプリ２１２などのプログラム（ソフトウェア）を実行することで実現される。二次元コード生成部２０６および権限指示情報生成部２０８の機能のうち一部は、ＬＳＩ（Large Scale Integration）、ＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。
【００１８】
二次元コード生成部２０６は、記憶部２１０の識別情報２１４を参照して、利用者ＩＤを含む二次元コードを生成し、タッチパネル２０２に出力する。
【００１９】
権限指示情報生成部２０８は、利用者による認証が行われた場合、記憶部２１０に記憶された選択可能権限情報２１６を参照し、利用者により利用可能な権限の中から少なくとも一つの権限を選択させるための権限選択画面を作成し、タッチパネル２０２に出力する。なお、この認証に用いられる利用者ＩＤは、二次元コード生成の元となる利用者ＩＤと同じであってもよいし、異なってもよい。異なる場合、センターサーバ１００においてマッチング処理などが行われる。権限選択画面については、図５を参照して後述する。また、権限指示情報生成部２０８は、権限選択画面の中から選択された権限を示す情報（以下、権限指示情報と記す）がタッチパネル２０２から入力された場合、権限指示情報を端末側通信部２０４に出力し、センターサーバ１００に送信させる。なお、権限指示情報生成部２０８は、権限選択画面の中から複数の権限が選択された場合、選択された複数の権限を示す権限指定情報を生成してよい。
【００２０】
図５は、タッチパネル２０２に表示された権限選択画面の一例を示す図である。権限選択画面には、利用可能乗車券一覧２０２Ａと、確定ボタン２０２Ｂとが表示されている。利用可能乗車券一覧２０２Ａには、複数（例えばｎ個）の利用可能権限表示枠２０２Ａ（１）〜２０２Ａ（ｎ）が含まれる。利用可能権限２０２Ａ（１）〜２０２Ａ（ｎ）は、選択可能権限情報２１６に含まれるすべての権限を表示する表示枠である。権限指示情報生成部２０８は、権限選択画面を表示させた状態で、利用可能乗車券一覧２０２Ａのうち少なくとも一つが利用者により選択され、確定ボタン２０２Ｂがタッチされると、選択された利用可能権限表示枠に対応する利用可能権限を示す情報を、利用者ＩＤと共にセンターサーバ１００に送信する。
【００２１】
［センターサーバ］
図６は、実施形態のセンターサーバ１００の機能構成を示す図である。センターサーバ１００は、例えば、通信部１１０と、記憶部１２０と、管理部１３０とを備える。
【００２２】
通信部１１０は、第１通信部１１２と第２通信部１１４とを備える。第１通信部１１２は、ネットワークＮＷを介して端末装置２００と通信する。第２通信部１１４は、ネットワークＮＷおよび駅サーバ５０を介して自動改札機１０と通信する。これらの通信部は、例えば、ＮＩＣ（Network Interface Card）などのハードウェアを含む。なお、第１通信部１１２と第２通信部１１４とは、物理的に別体の通信部であってもよいし、ハードウェアが共通化され、概念的に或いは仮想的に二つの機能として表現されるものであってもよい。
【００２３】
記憶部１２０は、例えば、ＨＤＤ（Hard Disc Drive）、フラッシュメモリ、ＥＥＰＲＯＭ（Electrically Erasable Programmable Read Only Memory）、ＲＯＭ（Read Only Memory）、またはＲＡＭ（Random Access Memory）等により実現される。記憶部１２０には、運賃テーブル１２１と、権限情報テーブル１２２と、利用履歴情報テーブル１２３とが記憶されている。また、記憶部１２０には、上記の各種情報の他、アプリケーションプログラムなどの各種プログラム、管理部１３０による処理結果などが記憶される。
【００２４】
運賃テーブル１２１は、例えば、駅の区間に対して運賃が対応付けられた情報である。
【００２５】
図７は、権限情報テーブル１２２の内容の一例を示す図である。権限情報テーブル１２２は、利用者の権限に関する情報を保存するテーブルである。権限情報テーブル１２２では、例えば、図７に示す通り、利用者ＩＤに、対応する利用者の権限を示す権限情報が対応付けられている。権限情報には、権限ＩＤや権限の効力情報等が含まれる。権限には、例えば、電子マネーにより運賃を支払って乗車する権限（以下、電子マネー権限と記す）、定期券により乗車する権限（以下、定期券権限と記す）、回数券により乗車する権限（以下、回数券権限と記す）、指定された区間の普通乗車券により乗車する権限（以下、普通乗車券権限と記す）等が含まれる。権限ＩＤは、各権限を識別する識別情報であり、例えば、電子マネーＩＤと、定期券ＩＤと、回数券ＩＤと、普通乗車券ＩＤとを含む。効力情報には、例えば、電子マネーの残高や、定期券の有効区間および有効期間、回数券の有効区間、有効期間および残り回数等が含まれる。
【００２６】
図８は、利用履歴情報テーブル１２３の内容の一例を示す図である。図８に示す通り、利用履歴情報テーブル１２３は、利用者の利用状況を示すテーブルであって、例えば、入場時の権限ＩＤ、入場駅、入場時刻、出場時の権限ＩＤ、出場駅、出場時刻を示す情報等が互いに対応付けられたテーブルである。なお、入場時および出場時の権限ＩＤに代えて、入場時および出場時の利用者ＩＤが利用履歴情報テーブル１２３に格納されてもよい。
【００２７】
管理部１３０は、例えば、権限特定部１３１と、入出場可否判定部１３２と、料金収受処理部１３３とを備える。管理部１３０の各機能部は、例えばＣＰＵ（Central Processing Unit）等のプロセッサがプログラムメモリに格納されたプログラムを実行することにより実現される。また、管理部１３０の機能部のうち一部または全部は、ＬＳＩ（Large Scale Integration）、ＡＳＩＣ（Application Specific Integrated Circuit）、またはＦＰＧＡ（Field-Programmable Gate Array）等のハードウェアにより実現されてもよい。
【００２８】
権限特定部１３１は、第１通信部１１２により端末装置２００から受信された利用者ＩＤと権限指定情報とに基づいて、記憶部１２０において利用者ＩＤと対応付けられている権限情報のうち一以上の権限情報を、利用者が使用する権限（以下、今回利用権限と記す）に決定する。例えば、権限特定部１３１は、記憶部１２０を参照して、権限情報テーブル１２２において、端末装置２００から受信した利用者ＩＤと対応付けられている権限情報のうち、権限指定情報が示す一以上の権限ＩＤを今回利用権限に決定し、今回利用権限に決定した権限ＩＤを示す情報を利用者ＩＤと共に入出場可否判定部１３２に出力する。
【００２９】
入出場可否判定部１３２は、第１通信部１１２による利用者ＩＤおよび権限指定情報の受信よりも後に、第２通信部１１４により自動改札機１０から利用者ＩＤが受信された場合、権限特定部１３１により決定された今回利用権限のうち、受信された利用者ＩＤに対応する今回利用権限に基づいて、利用者の入出場の可否を判定する。そして、入出場可否判定部１３２は、第２通信部１１４を用いて判定結果を自動改札機１０に送信する。
【００３０】
また、入出場可否判定部１３２は、利用履歴情報テーブル１２３を参照し、入場処理を行うか、出場処理を行うかを決定する。利用履歴情報テーブル１２３の入場時の権限ＩＤには、入場処理が行われた場合に、権限指定情報に対応する権限ＩＤが書き込まれる。また、利用履歴情報テーブル１２３の出場時の権限ＩＤには、出場処理が行われた場合に、権限指定情報に対応する権限ＩＤが書き込まれる。そして、入出場可否判定部１３２は、権限特定部１３１により今回利用権限に決定された権限の権限ＩＤと一致する権限ＩＤが、利用履歴情報テーブル１２３において、入場時の権限ＩＤと一致し且つ対応する出場時の権限ＩＤが空欄であるかを判定し、そうである場合に出場処理を行い、そうでない場合に入場処理を行う。また、これに代えて、入出場可否判定部１３２は、自動改札機１０から、入場駅として機能しているか、出場駅として機能しているかを示す情報を利用者ＩＤと共に取得し、その情報に基づいて、入場処理を行うか、出場処理を行うかを切り替えてもよい。
【００３１】
また、入出場可否判定部１３２は、入場処理や出場処理において、権限が有効であるか否かを判定する。権限が有効であることには、例えば、残高が収受される金額以上あること、有効期間内における定期券区間の利用であること、または、有効期間内の回数券区間内の利用であり且つ残り回数が１回以上残っていること等が含まれる。また、入出場可否判定部１３２は、出場処理を行う際、利用履歴情報テーブル１２３の入場時の権限ＩＤと出場時に取得された権限ＩＤとが一致するか否かを判定し、一致しない場合には権限が有効でないと判定する。なお、入場の際に受信した権限指定情報に二つの権限が含まれている場合、それら二つの権限ＩＤが出場の際に受信した権限指定情報に含まれる二つの権限ＩＤと一致することが要求される。
【００３２】
そして、入出場可否判定部１３２は、権限特定部１３１により今回利用権限に決定された権限と、権限が有効か否かを判定した結果とに基づいて、利用者の入出場の可否を判定する。例えば、入出場可否判定部１３２は、今回利用権限に決定された権限が有効であると判定した場合、第２通信部１１４を用いて、自動改札機１０に扉部を開放させるコマンドを送信する。一方、乗車券の効力が有効でないと判定した場合、入出場可否判定部１３２は、第２通信部１１４を用いて、自動改札機１０に扉部を閉止させるコマンドを送信する。
【００３３】
さらに、入出場可否判定部１３２は、記憶部１２０を参照して、登録されている権限のうち予告対象となる権限があるか否かを定期的に判定する機能を有してもよい。予告対象とは、端末装置２００を用いて利用者に通知されることが好ましい事象であって、例えば、電子マネーの残高が予め決められた基準よりも少なくなったことや、定期券権限あるいは回数券権限の有効期間が予め決められた基準よりも短くなったこと等が含まれる。入出場可否判定部１３２は、例えば、権限情報テーブル１２２を参照して、電子マネーの残高が基準よりも少なくなった権限ＩＤを取得し、電子マネーの残高が不足していることを示す予告情報を作成する。また、入出場可否判定部１３２は、権限情報テーブル１２２を参照して、定期券権限または回数券権限の有効期間が基準よりも短くなった権限ＩＤを取得し、定期券権限または回数券権限の有効期限が迫っていることを示す予告情報を作成してもよい。そして、入出場可否判定部１３２は、権限情報テーブル１２２において、取得した権限ＩＤと対応付けられている端末ＩＤを取得し、取得した端末ＩＤが示す端末に対して、予告情報を送信する。
【００３４】
料金収受処理部１３３は、権限特定部１３１により今回利用権限に決定された権限に基づいて、利用者から料金を収受するための処理を行う。料金収受処理部１３３は、例えば、権限特定部１３１により今回利用権限に決定された権限が入出場可否判定部１３２により有効であると判定された場合、料金の精算が必要な権限について料金を収受するための処理を行う。料金を収受するための処理には、例えば、運賃テーブル１２１と利用履歴情報テーブル１２３を参照して運賃を算出する処理、電子マネーの残高から運賃を差し引いて権限情報テーブル１２２を更新する処理、および、回数券の残り回数を１回減らして権限情報テーブル１２２を更新する処理等が含まれる。
【００３５】
入出場可否判定部１３２および料金収受処理部１３３は、権限指定情報に含まれる権限が一つである場合、単独入場処理または単独出場処理を行い、権限指定情報に含まれる権限が二つである場合、複合入場処理または複合出場処理を行い、権限指定情報に含まれる権限が三つ以上である場合、エラーであると判定する。単独入場処理および単独出場処理は、一つの権限に基づいて入出場の可否の判定処理と料金の収受処理を行う処理である。一方、複合入場処理または複合出場処理は、二つの権限に基づいて入出場の可否の判定処理と料金の収受処理を行う処理であって、二つの権限を併用して利用者に不利益とならないような料金収受を行う。例えば、入場駅と出場駅が定期券区間または回数券区間に収まる場合、電子マネーからの運賃の収受は行われない。また、稀なケースであるが、入場駅から出場駅までの運賃をそのまま電子マネーで支払う場合よりも、入場駅から出場駅までの区間から定期券区間を除いた区間の運賃が高くなってしまう場合は、入場駅から出場駅までの運賃をそのまま電子マネーで収受してもよい。また、回数券区間の中間地点で入場した場合など、回数券の有効期間に余裕があるならば、電子マネーで支払った方が利用者にとって有利な場合もあり得る。入出場可否判定部１３２および料金収受処理部１３３は、このような有利／不利を総合的に判断し、いずれの権限で収受を行うかを決定してもよい。
【００３６】
次に、図９を参照して、入出場管理システム１の全体の流れについて説明する。図９は、入出場管理システム１の全体の流れの一例を示すシーケンス図である。端末装置２００は、権限を登録するための操作画面をタッチパネル２０２に表示させる（Ｓ１）。そして、端末装置２００は、タッチパネル２０２が受け付けた利用者からの操作に基づいて、登録する権限に関する情報等をセンターサーバ１００に送信する（Ｓ２）。センターサーバ１００は、端末装置２００から、例えば、登録する権限に関する情報と、利用者ＩＤと、端末ＩＤとを受信し、これらを対応付けて権限情報テーブル１２２に書き込む（Ｓ３）。なお、権限の登録に関する処理は、端末装置２００ではなく、駅などに設置された券売機や専用端末を用いて行われてもよい。
【００３７】
その後、端末装置２００は、タッチパネル２０２が受け付けた利用者からの操作に基づいて、権限選択画面をタッチパネル２０２に表示させ、利用者がこれから使用する権限の指定を受け付ける（Ｓ４）。端末装置２００は、タッチパネル２０２が受け付けた利用者からの操作に基づいて権限指定情報を作成し、権限指定情報に利用者ＩＤを対応付けてセンターサーバ１００に送信する（Ｓ５）。センターサーバ１００は、端末装置２００から、例えば、権限指定情報と利用者ＩＤとを受信し、記憶部１２０に一時的に保存する（Ｓ６）とともに、タイマー機能を作動させる（Ｓ７）。
【００３８】
次いで、端末装置２００は、二次元コード生成部２０６により生成された利用者ＩＤを含む二次元コードをタッチパネル２０２に表示させる（Ｓ８）。利用者は、自動改札機１０を通過するとき、タッチパネル２０２を自動改札機１０の光学読取部２１または３１に翳す。これにより、光学読取部２１または３１は、タッチパネル２０２に表示されている二次元コードを読み取り、二次元コードから利用者ＩＤを取得する（Ｓ９）。光学読取部２１または３１は、取得した利用者ＩＤを通信制御部２６Ａに出力する。通信制御部２６Ａは、入力された利用者ＩＤを、改札機側通信部２７を用いてセンターサーバ１００に送信する（Ｓ１０）。
【００３９】
一方、センターサーバ１００は、Ｓ６において作動されたタイマー機能によって所定の時間がカウントされるよりも前に、Ｓ６において受信した利用者ＩＤと同一の利用者ＩＤを自動改札機１０から受信したか否かを判定する（Ｓ１１）。同一の利用者ＩＤを自動改札機１０から受信したと判定した場合、センターサーバ１００は、入出場の可否判定と収受処理を行う（Ｓ１２）。そして、センターサーバ１００は、入出場の可否判定の判定結果に応じたコマンドを自動改札機１０に送信する（Ｓ１３）。自動改札機１０は、センターサーバ１００から受信したコマンドに基づいて、扉部２４および３４を開放状態または閉止状態に制御する（Ｓ１４）。
【００４０】
なお、予め決められた確認タイミングとなった場合、入出場可否判定部１３２は、記憶部１２０の権限情報テーブル１２２を参照して、予告対象、例えば、電子マネーの残高が予め決められた基準よりも少なくなった電子マネーＩＤや、定期券権限または回数券権限の有効期間が予め決められた基準よりも短くなった定期券ＩＤまたは回数券ＩＤ等があるか否かを判定する（Ｓ１５）。予告対象がある場合、入出場可否判定部１３２は、予告情報を作成し（Ｓ１６）、予告対象の権限ＩＤと対応付けられた端末装置２００に対して、作成した予告情報を送信する（Ｓ１７）。端末装置２００は、受信した予告情報をタッチパネル２０２に表示させる（Ｓ１８）。
【００４１】
次に、図１０を参照して、センターサーバ１００の動作について説明する。図１０は、センターサーバ１００の動作の流れの一例を示すフローチャートである。管理部１３０は、端末装置２００から、登録する権限に関する情報と、利用者ＩＤと、端末ＩＤとを受信した場合、これらを対応付けて権限情報テーブル１２２に書き込み、権限を登録する（ステップＳ１０１）。次いで、管理部１３０は、端末装置２００から利用者ＩＤとともに権限の照会指示を受信したか否かを判定する（ステップＳ１０２）。端末装置２００から権限の照会指示を受信した場合、管理部１３０は、権限情報テーブル１２２において受信した利用者ＩＤと対応付けられている権限に関する情報を読み出し、第１通信部１１２を用いて端末装置２００に送信する（ステップＳ１０３）。
【００４２】
次いで、権限特定部１３１は、利用者ＩＤと権限指定情報とを端末装置２００から受信したか否かを判定し（ステップＳ１０４）、受信したと判定した場合、権限指定情報に基づいて利用者が指定した権限を、今回利用権限に決定する（ステップＳ１０５）。そして、入出場可否判定部１３２は、ステップＳ１０４において権限指定情報を受信したときから所定時間内に、ステップＳ１０４において受信した利用者ＩＤと同一の利用者ＩＤを受信したか否かを判定する（ステップＳ１０６）。入出場可否判定部１３２は、所定時間が経過するまで同一の利用者ＩＤを受信したか否かの判定を繰り返す（ステップＳ１０７）。同一の利用者ＩＤを受信した場合、入出場可否判定部１３２は、上述したように、入場処理か出場処理かを判定し（ステップＳ１０８）、今回利用権限に決定された権限に基づいて、入場処理（ステップＳ１０９）または出場処理（ステップＳ１１０）を行う。
【００４３】
次いで、入出場可否判定部１３２は、予め決められた確認タイミングとなったか否かを判定し（ステップＳ１１１）、確認タイミングになった場合、記憶部１２０の権限情報テーブル１２２を参照して、予告対象を取得し（ステップＳ１１２）、予告情報を作成して端末装置２００に送信する（ステップＳ１１３）。
【００４４】
以上説明した少なくともひとつの実施形態によれば、利用者の端末装置２００と通信する第１通信部１１２と、利用者の媒体から識別情報を読み取り可能な自動改札機１０と通信する第２通信部１１４と、記憶部１２０において利用者の識別情報に対応付けられた一以上の権限情報を参照して利用者の入出場の可否を判定し、第２通信部１１４を用いて判定結果を自動改札機に送信する管理部１３０であって、第１通信部１１２により端末装置から受信された、識別情報と、利用者により指定された権限を示す権限指定情報とに基づいて、権限指定情報が示す一以上の権限情報を選択し、選択した権限情報に基づいて利用者の入出場の可否を判定する管理部１３０とを持つことにより、利用者が複数の権限を使い分けることができる。
【００４５】
また、以上説明した少なくともひとつの実施形態によれば、利用者によりこれから使用する権限が指定され、センターサーバ１００が権限指定情報により示される権限を今回利用権限として決定することができるため、媒体から権限ＩＤを読み取る従来の入出場処理のシステムを利用することができる。
【００４６】
また、以上説明した少なくともひとつの実施形態によれば、事前に利用する権限を通知しており、自動改札機１０に提供する情報は識別情報でよいため、自動改札機１０を通過する際に複数の媒体を用いる必要がなく、利用者の操作性を向上させることができる。
【００４７】
また、以上説明した少なくともひとつの実施形態によれば、携帯端末２００のタッチパネル２０２に、利用者が登録している権限を照会した結果を表示したり、権限選択画面を表示することができるため、利用者は簡単に権限の内容を確認することができる。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４９】
例えば、利用者ＩＤを含む二次元コードは、媒体に印刷されているものであってもよい。また、自動改札機１０は、光学読取部２１および３１に替えて、利用者ＩＤが記憶されているＩＣカードと通信をして利用者ＩＤを読み取るリーダ部を備えるものであってもよい。この構成の場合、端末装置２００は、端末側通信部２０４を用いて、利用者ＩＤを自動改札機１０に送信してもよい。
【００５０】
また、上記実施形態では、入場時と出場時の双方において、端末装置２００からセンターサーバ１００に権限指定情報が送信されるものとしたが、入場時のみ送信されるようにしてもよい。この場合、出場時には利用者ＩＤが自動改札機１０からセンターサーバ１００に送信されると、センターサーバ１００では、権限情報テーブル１２２を検索して利用者ＩＤに対応する権限ＩＤを取得し、取得した権限ＩＤのうち利用履歴情報テーブル１２３に登録されている権限ＩＤを用いて出場可否の判定処理などを行う。
【００５１】
また、権限ごとに権限ＩＤが割り当てられて管理されているものとして説明したが、利用者の権限は、利用者に対して割り当てられた識別情報を用いて一元管理されてもよい。
【００５２】
また、端末装置２００は、入出場アプリ２１２を保持せず、端末装置２００は、センターサーバ１００により作成されたインターフェースをブラウザでタッチパネル２０２に表示させるものであってもよい。
【符号の説明】
【００５３】
１…入出場管理システム、１０…自動改札機、２０…主機、２１…光学読取部、２２…上面表示部、２３…正面表示部、２４…扉部、２５…扉部、２６…制御部、２７…改札機側通信部、３０…従機、３１…光学読取部、３２…上面表示部、３３…正面表示部、３４…扉部、３５…扉部、４０…駅務機器、５０…駅サーバ、１００…センターサーバ、１１０…通信部、１１２…第１通信部、１１４…第２通信部、１２０…記憶部、１２１…運賃テーブル、１２２…権限情報テーブル、１２３…利用履歴情報テーブル、１３０…制御部、１３１…権限特定部、１３２…入出場可否判定部、１３３…料金収受処理部、２０２…タッチパネル、２０４…端末側通信部、２０６…二次元コード生成部、２０８…権限指示情報生成部、２１０…記憶部、２１２…入出場アプリ、２１４…識別情報、２１６…選択可能権限情報
【図１】
2018092409.tif 000003
【図２】
2018092409.tif 000004
【図３】
2018092409.tif 000005
【図４】
2018092409.tif 000006
【図５】
2018092409.tif 000007
【図６】
2018092409.tif 000008
【図７】
2018092409.tif 000009
【図８】
2018092409.tif 000010
【図９】
2018092409.tif 000011
【図１０】
2018092409.tif 000012